(57)【要約】【課題】通信制約の間に、ページに応答するシステムおよび方法を提供すること。【解決手段】無線デバイスにおける方法であって、該無線デバイスは、無線ネットワーク内で動作し、該方法は、該無線ネットワークから通信を受信するステップと、該通信に応答することを制約するために、通信制約が、該ネットワークによって課されているかどうかを決定するステップと、該通信制約がある場合、該通信が、該通信制約に関わらず、応答されるべきかどうかを決定するステップと、応答されるべきと決定された場合、該通信制約に関わらず、該通信に応答するステップとを包含する、方法。【選択図】図１
2011176841.tif 000002
【特許請求の範囲】
【請求項１】
無線ネットワーク内で動作する無線デバイスにおいて実行される方法であって、
前記方法は、
前記無線ネットワークとのＲＲＣ（Ｒａｄｉｏ  Ｒｅｓｏｕｒｃｅ  Ｃｏｎｔｒｏｌ）接続を介してモバイル開始通話を送信することであって、前記モバイル開始通話は、１つ以上の基準によって重要であると決定されており、かつ、前記無線デバイスが属しているアクセスクラスが禁止されていないときに開始される、ことと、
前記モバイル開始通話を送信した後に、ＲＲＣアイドルモードに入り、通信制約を課すシステム情報メッセージを受信することであって、前記システム情報メッセージは、前記無線デバイスが属しているアクセスクラスが禁止されていることを示す、ことと、
モバイル終了通話のために前記無線ネットワークからページを受信することと、
前記モバイル開始通話を送信した後の所定の期間内に前記ページが受信された場合に、前記通信制約に関わらず前記ページに応答することと
を含む、方法。
【請求項２】
前記モバイル開始通話が緊急コールセンタへの通信を含むことと、
前記モバイル終了通話が前記緊急コールセンタからのコールバックであることと
のうちの少なくとも１つである、請求項１に記載の方法。
【請求項３】
前記通信制約に関わらずページに応答することは、
前記ネットワークへの接続を確立することと、
前記接続を介して、前記ページに対する応答を送信することと
を含む、請求項１または請求項２に記載の方法。
【請求項４】
前記接続は、第２のＲＲＣ接続であり、
前記第２のＲＲＣ接続を確立することは、ＲＲＣ  ＣＯＮＮＥＣＴＩＯＮ  ＲＥＱＵＥＳＴメッセージを送信することを含む、請求項３に記載の方法。
【請求項５】
前記無線ネットワークから第２のメッセージを受信することをさらに含み、
前記第２のメッセージは、前記通信制約に関わらず前記ページに応答すべきかどうかを前記無線デバイスが決定するための情報を含み、
前記通信制約に関わらず前記ページに応答することは、前記情報にさらに基づく、請求項１〜請求項４のいずれか１項に記載の方法。
【請求項６】
前記情報は、前記モバイル開始通話の後どれくらいの間その後の通信が重要であると考えるべきかを示すタイマ情報を含み、
前記通信制約に関わらず前記ページに応答することは、前記タイマ情報に基づく、請求項５に記載の方法。
【請求項７】
前記モバイル開始通話を送信した後にタイマを開始することをさらに含み、
前記タイマは、前記所定の期間後に満了する、ことと、
前記通信制約に関わらず前記ページに応答することは、前記ページが受信されたときに前記タイマが依然として稼動している場合に前記ページに応答することを含む、請求項１〜請求項６のいずれか１項に記載の方法。
【請求項８】
前記無線ネットワークから前記所定の期間の指標を受信すること、または、
前記所定の期間が前記無線ネットワークによって示されていない場合に、前記所定の期間に対して所定の一定値を用いること
をさらに含む、請求項１〜請求項７のいずれか１項に記載の方法。
【請求項９】
請求項１〜請求項８のいずれか１項に記載の方法をインプリメントするようにプロセッサ上で実行するためのコンピュータで実行可能な命令が格納された非一時的なコンピュータ読み取り可能な媒体。
【請求項１０】
無線ネットワークと通信するように構成された無線アクセスラジオと、通信応答機能とを備える無線デバイスであって、
前記通信応答機能は、
前記無線ネットワークとのＲＲＣ（Ｒａｄｉｏ  Ｒｅｓｏｕｒｃｅ  Ｃｏｎｔｒｏｌ）接続を介してモバイル開始通話を送信することであって、前記モバイル開始通話は、１つ以上の基準によって重要であると決定されており、かつ、前記無線デバイスが属しているアクセスクラスが禁止されていないときに開始される、ことと、
前記モバイル開始通話を送信した後に、ＲＲＣアイドルモードに入り、通信制約を課すシステム情報メッセージを受信することであって、前記システム情報メッセージは、前記無線デバイスが属しているアクセスクラスが禁止されていることを示す、ことと、
モバイル終了通話のために前記無線ネットワークからページを受信することと、
前記モバイル開始通話を送信した後の所定の期間内に前記ページが受信された場合に、前記通信制約に関わらず前記ページに応答することと
を実行するように構成されている、無線デバイス。
【請求項１１】
モバイル開始通話を受信することと、
１つ以上の基準に基づいて前記モバイル開始通話が重要であるかどうかを決定することと、
前記モバイル開始通話が１つ以上の基準によって重要であると決定された場合に、ＲＲＣ（Ｒａｄｉｏ  Ｒｅｓｏｕｒｃｅ  Ｃｏｎｔｒｏｌ）アイドルモードにある間に、ページへの応答を制約するアクセスクラス禁止に関わらずにページに応答するかどうかを前記無線デバイスが決定するための情報を含むメッセージを伝送することであって、前記メッセージは、前記ページから区別され、かつ、別個である、ことと、
前記ページを送信するステップと
を包含する、方法。
【請求項１２】
前記情報は、重要性の指標を含む、請求項１１に記載の方法。
【請求項１３】
前記情報は、前記モバイル開始通話の後、どのくらいの時間、前記無線デバイスが前記ページに応答することを許可されるかを示すタイミング情報を含む、請求項１１または請求項１２に記載の方法。
【請求項１４】
前記無線デバイスが属しているアクセスクラスを禁止することによって、前記無線デバイスが通信に応答することを制約するようにアクセスクラス禁止を課すことをさらに含む、請求項１１〜請求項１３のいずれか１項に記載の方法。
【請求項１５】
請求項１１〜請求項１４のいずれか１項に記載の方法をインプリメントするようにプロセッサ上で実行するためのコンピュータで実行可能な命令が格納された非一時的なコンピュータ読み取り可能な媒体。
【請求項１６】
請求項１１〜請求項１４のいずれか１項に記載の方法をインプリメントするように構成された１つ以上のネットワークコンポーネント。
【請求項１７】
無線ネットワーク内で動作する無線デバイスにおいて実行される方法であって、
前記方法は、
前記無線ネットワークに第１の通信を送信することであって、前記第１の通信は、１つ以上の基準によって重要であると決定されている、ことと、
第２の通信への応答を制約するアクセスクラス禁止に関わらずに第２の通信に応答するかどうかを決定するための情報を受信することであって、前記情報は、前記第１の通話の送信の後、前記無線デバイスが前記第２の通信に応答することを許可される所定の期間を示すタイミング情報を含む、ことと、
前記無線ネットワークから前記第２の通信を受信することと、
前記第１の通信を送信した後の所定の期間内に前記第２の通信が受信された場合に、前記第２の通信に対する応答を制約するアクセスクラス禁止に関わらず、前記第２の通信に応答することと
を含む、方法。
【請求項１８】
請求項１７に記載の方法をインプリメントするようにプロセッサ上で実行するためのコンピュータで実行可能な命令が格納された非一時的なコンピュータ読み取り可能な媒体。
【請求項１９】
無線ネットワークと通信するように構成された無線アクセスラジオと、通信応答機能とを備える無線デバイスであって、
前記通信応答機能は、
前記無線ネットワークに第１の通信を送信することであって、前記第１の通信は、１つ以上の基準によって重要であると決定されている、ことと、
第２の通信への応答を制約するアクセスクラス禁止に関わらずに第２の通信に応答するかどうかを決定するための情報を受信することであって、前記情報は、前記第１の通話の送信の後、前記無線デバイスが前記第２の通信に応答することを許可される所定の期間を示すタイミング情報を含む、ことと、
前記無線ネットワークから前記第２の通信を受信することと、
前記第１の通信を送信した後の所定の期間内に前記第２の通信が受信された場合に、前記第２の通信に対する応答を制約するアクセスクラス禁止に関わらず、前記第２の通信に応答することと
を実行するように構成されている、無線デバイス。
【発明の詳細な説明】
【技術分野】
【０００１】
（発明の分野）
本発明は、一般的に、無線通信に関し、より具体的には、ページに応答することに関する。
【背景技術】
【０００２】
（背景）
ＵＭＴＳ（ユニバーサルモバイル電気通信システム）ネットワークのような無線ネットワークは、そのネットワーク上での通信負荷を制御するために、アクセスクラスの禁止をインプリメントする。アクセスクラスは、その無線ネットワークによって許可されるアクセスのタイプを指示する。典型的には、通常の動作向けの１０のアクセスクラスと、緊急通信または警察通信のような他の動作向けの６つのアクセスクラスを含む１６の利用可能なアクセスクラスが存在する。通常動作向けのアクセスクラスは、１０のクラスからなるプールからランダムに、事前に割り当てられ、ＳＩＭ（加入者識別モジュール）またはＵＳＩＭ（ユニバーサル加入者識別モジュール）に格納される。
【０００３】
ネットワーク上での高い通信負荷を軽減するために、ネットワークは、例えば、通常のユーザ向けの１０のアクセスクラスのうちの３つのアクセスクラスを禁止し得る。このネットワークとＲＲＣ（Ｒａｄｉｏ  Ｒｅｓｏｕｒｃｅ  Ｃｏｎｔｒｏｌ）接続を有し、３つの禁止されたアクセスクラスのいずれかに属するＵＭＴＳ無線デバイスは、これらの３つのアクセスクラスが禁止された結果として、そのＲＲＣ接続を失わない。しかしながら、ＲＲＣアイドルモードにあり（すなわち、ネットワークとのＲＲＣ接続を有さず）、これらの３つの禁止されたアクセスクラスのいずれかに属する各無線デバイスは、ＲＲＣ接続を確立することができない。通常、ＵＭＴＳ無線デバイスは、ＲＲＣ  ＣＯＮＮＥＣＴＩＯＮ  ＲＥＱＵＥＳＴをネットワークに送信して、ＲＲＣ接続をリクエストする。しかしながら、３ＧＰＰ（第三世代パートナーシッププロジェクト）の仕様Ｔ２５．３０４に従うと、無線デバイスは、そのアクセスクラスが禁止されているとき、ＲＲＣ  ＣＯＮＮＥＣＴＩＯＮ  ＲＥＱＵＥＳＴを送信することを許可されない。無線デバイスは、ネットワークとのＲＲＣ接続を用いて、そのネットワークによって提供されるサービスにアクセスする。それゆえ、３つのアクセスクラスを禁止することは、無線デバイスがネットワークとのＲＲＣ接続を確立できないようにして、ネットワーク上での通信負荷を軽減する。３つのアクセスクラスは、ネットワーク上の通信負荷が軽減されるときに、あるいはネットワークが何らかの理由でそのようなクラスの禁止解除を決定する（例えば、ネットワークが禁止されていたアクセスクラスを許可し得、新たなアクセスクラスを禁止して、負荷を均衡することを決定する）ときに、しばらく遅れて、禁止を解除される。
【０００４】
継続的に、ネットワークは、放送チャネルを介して、タイプ３の放送メッセージを用いて、システム情報を送信する。システム情報は、無線デバイスのアクセスクラスが禁止されているかどうかに、その無線デバイスが気付くようにするために、禁止されているアクセスクラスの情報を含む。したがって、ＲＲＣアイドルモードにある各無線デバイスは、ＲＲＣ接続を確立するために、ＲＲＣ  ＣＯＮＮＥＣＴＩＯＮ  ＲＥＱＵＥＳＴをネットワークに送信することが許可されているかどうかに気付く。
【０００５】
ＲＲＣ接続を有さず、禁止されているアクセスクラスに属する無線デバイスは、ページを受信するとき、その無線デバイスは、そのページに応答することを許可されない。これは、ネットワーク上の通信負荷を軽減する一方で、そのページが、緊急コールセンタからのコールバックのような重要なモバイル端末への通話に対するものであれば、問題となり得る。例えば、ユーザが緊急コールを開始し得ると、この通話は、アクセスクラス１０が禁止されていない限り、許可される。しかしながら、その無線デバイスが緊急コールが終了後に、ＲＲＣアイドルモードに入っている場合、緊急コールセンタは、そのユーザと通話することができない。
【０００６】
特許文献１は、アクセスクラス制約中に、優先的コールバックするシステムを開示している。この制約において、アクセスクラス１０が許可されている場合、無線デバイスが緊急コールセンタに通話し得、そのセンタからコールバックを受信し得る。この開示は、通信制約がある場合の無線デバイスによる通信に応答することに対処していない。
【先行技術文献】
【特許文献】
【０００７】
【特許文献１】国際公開第２００４／０７２７８４号パンフレット
【発明の概要】
【課題を解決するための手段】
【０００８】
一つの広範な局面において、本出願は、好ましくは、無線デバイスにおける方法を提供する。該無線デバイスは、無線ネットワーク内で動作し、該方法は、該無線ネットワークから通信を受信するステップと、該通信に応答することを制約するために、通信制約が、該ネットワークによって課されているかどうかを決定するステップと、該通信制約がある場合、ａ）該通信が、該通信制約に関わらず、応答されるべきかどうかを決定するステップと、ｂ）応答されるべきと決定された場合、該通信制約に関わらず、該通信に応答するステップとを包含する。
【０００９】
別の広範な局面において、本出願は、好ましくは、無線デバイスを提供する。該無線デバイスは、無線ネットワークと通信するように適合された無線通信ラジオと；通信応答機能であって、通信制約が、通信に応答することを制約するために、該ネットワークによって課されているかどうかを決定することと、該通信制約がある場合、ａ）該通信が、該通信制約に関わらず、応答されるべきかどうかを決定することと、応答されるべきと決定された場合、該通信制約に関わらず、ｂ）該通信に応答することとに適合された、通信応答機能とを備える。
【００１０】
別の広範な局面において、本出願は、好ましくは、方法を提供する。該方法は、無線デバイスが通信に応答することを制約するために、通信制約を課すステップと、該無線デバイス向けの情報を送信して、通信が、該通信制約に関わらず、応答されるべきかどうかを決定するステップと、該通信を送信するステップとを包含する。
【００１１】
一部の実施形態において、メッセージは、システム情報メッセージであり得る。
【００１２】
一部の実施形態において、通信は、重要性の指標を備え得、上記通信が、通信制約に関わらず、応答されるべきかどうかの決定は、該重要性の指標と、該通信が、該重要な通信を送信後に、所定の期間以内に受信されるかどうかとに基づく。
【００１３】
一部の実施形態において、上記方法は、上記重要な通信を送信後に、タイマを開始するステップであって、該タイマは、所定の期間後に満了する、ステップをさらに包含し、上記通信が該所定の期間内に受信されるかどうかを決定するステップは、該通信が受信されたときに、該タイマが依然として稼動しているかどうかを決定するステップをさらに包含し得る。
【００１４】
本発明は、さらに、以下の手段を提供する。
【００１５】
（項目１）
無線デバイスにおける方法であって、該無線デバイスは、無線ネットワーク内で動作し、該方法は、
該無線ネットワークから通信を受信するステップと、
該通信に応答することを制約するために、通信制約が、該ネットワークによって課されているかどうかを決定するステップと、
該通信制約がある場合、
該通信が、該通信制約に関わらず、応答されるべきかどうかを決定するステップと、
応答されるべきと決定された場合、該通信制約に関わらず、該通信に応答するステップと
を包含する、方法。
【００１６】
（項目２）
上記通信は、ページである、項目１に記載の方法。
【００１７】
（項目３）
通信制約に関わらず、上記通信は、応答されるべきかどうかを決定するステップは、
該通信に重要性フィールドがあり、該重要性フィールドが高度な重要性を有することを示すかどうかを決定し、高度な重要性を有する場合は、該通信は、通信制約に関わらず、送信されるべきであると決定するステップと、
上記無線デバイスが、重要な通信を開始してから、所定の時間内に、該通信を受信されているかどうかを決定し、受信されている場合、該通信は、通信制約に関わらず、応答されるべきであると決定するステップと
を包含し、
通信は、１つ以上の基準に従って、重要であることを決定される、項目１または項目２に記載の方法。
【００１８】
（項目４）
上記通信制約が課されているかどうかを決定するステップは、
上記無線デバイスが、禁止されているアクセスクラスに属するかどうかを、および該無線デバイスが、アイドルモードであるかどうかを決定するステップ
を包含する、項目１〜項目３のいずれか１項に記載の方法。
【００１９】
（項目５）
上記無線デバイスが、禁止されているアクセスクラスに属するかどうかを決定するステップは、
システム情報メッセージを受信するステップであって、該システム情報メッセージは、禁止されている任意のアクセスクラスの表示を備える、ステップと、
該システム情報メッセージが、該無線デバイスが属するアクセスクラスが禁止されていることを表示しているかどうかを決定するステップと
を包含する、項目４に記載の方法。
【００２０】
（項目６）
上記通信制約に関わらず、上記通信に応答するステップは、
上記ネットワークへの接続を確立するステップと、
該接続を介して、該通信への応答を送信するステップと
を包含する、項目１〜項目５のいずれか１項に記載の方法。
【００２１】
（項目７）
上記接続は、ＲＲＣ（Ｒａｄｉｏ  Ｒｅｓｏｕｒｃｅ  Ｃｏｎｔｒｏｌ）接続であり、
該ＲＲＣ接続を確立するステップは、ＲＲＣ  ＣＯＮＮＥＣＴＩＯＮ  ＲＥＱＵＥＳＴメッセージを送信するステップを包含する、項目６に記載の方法。
【００２２】
（項目８）
上記通信は、該通信が通信制約に関わらず、応答されるべきかどうかを決定するための上記無線デバイス向けの情報を備え、
該通信が、通信制約に関わらず、応答されるべきかどうかの決定は、該情報に基づく、項目１〜項目７のいずれか１項に記載の方法。
【００２３】
（項目９）
上記無線デバイス向けの上記情報は、重要性の指標を備え、
上記通信が、通信制約に関わらず、応答されるべきかどうかの決定は、該重要性の指標に基づく、項目８に記載の方法。
【００２４】
（項目１０）
上記無線ネットワークからメッセージを受信するステップであって、該メッセージは、上記通信が通信制約に関わらず、応答されるべきかどうかを決定するための上記無線デバイス向けの情報を備える、ステップをさらに包含し、
該通信が、通信制約に関わらず、応答されるべきかどうかの決定は、該情報に基づく、項目１〜項目７のいずれか１項に記載の方法。
【００２５】
（項目１１）
上記通信を受信する前に、１つ以上の基準によって決定されるような重要な情報を上記ネットワークに送信するステップをさらに包含し、
該通信が、通信制約に関わらず、応答されるべきかどうかの決定は、該通信が、該重要な通信を送信後に、所定の期間以内に受信されるかどうかに基づく、項目１〜項目７のいずれか１項に記載の方法。
【００２６】
（項目１２）
上記重要な通信は、緊急コールセンタへの通信を備える、項目１１に記載の方法。
【００２７】
（項目１３）
上記通信に応答することを制約するために、通信制約が、上記ネットワークによって課されているかどうかを決定するステップは、
該通信が、該ネットワークによって禁止されたアクセスクラスを用いて、受信されたかどうかを決定するステップを包含する、項目１〜項目１２のいずれか１項に記載の方法。
【００２８】
（項目１４）
コンピュータで実行可能な命令を有するコンピュータ読み出し可能な媒体であって、該命令は、プロセッサ上で実行するために、該媒体上に格納され、コンピューティングデバイスに、項目１〜項目１３のいずれか１項に記載の方法をインプリメントさせる、コンピュータ読み出し可能な媒体。
【００２９】
（項目１５）
無線ネットワークと通信するように適合された無線通信ラジオと、
通信応答機能であって、
通信制約が、通信に応答することを制約するために、該ネットワークによって課されているかどうかを決定することと、
該通信制約がある場合、
該通信が、該通信制約に関わらず、応答されるべきかどうかを決定することと、
応答されるべきと決定された場合、該通信制約に関わらず、該通信に応答することとに適合された、通信応答機能と
を備える、無線デバイス。
【００３０】
（項目１６）
無線デバイスが通信に応答することを制約するために、通信制約を課すステップと、
通信が、該通信制約に関わらず、応答されるべきかどうかを決定するために、該無線デバイス向けの情報を送信するステップと、
該通信を送信するステップと
を包含する方法。
【００３１】
（項目１７）
通信が、上記通信制約に関わらず、応答されるべきかどうかを決定するために、上記無線デバイス向けの情報を送信するステップは、該通信の一部として、該情報を送信するステップを包含する、項目１６に記載の方法。
【００３２】
（項目１８）
通信ページが、上記通信制約に関わらず、応答されるべきかどうかを決定するために、上記無線デバイス向けの情報を送信するステップは、上記通信とは異なるメッセージの一部として、該情報を送信するステップを包含する、項目１６に記載の方法。
【００３３】
（項目１９）
上記情報は、重要性の指標を備える、項目１６〜項目１８のいずれか１項に記載の方法。
【００３４】
（項目２０）
上記情報は、上記無線デバイスからの、１つ以上の基準によって決定された先の重要な通信の後、どのくらいの時間、該無線デバイスが応答することを許可されるかを指示するタイミング情報を備える、項目１６〜項目１８のいずれか１項に記載の方法。
【００３５】
（項目２１）
通信制約を課して、無線デバイスが上記通信を送信することを制約するステップは、アクセスクラスを禁止するステップを包含し、
該通信を送信するステップは、禁止された該アクセスクラスを用いて、該通信を送信することを包含する、項目１６〜項目２０のいずれか１項に記載の方法。
【００３６】
（項目２２）
項目１６〜項目２０のいずれか１項に記載の方法をインプリメントするのに適合される、ネットワーク。
【００３７】
（項目２３）
コンピュータで実行可能な命令を有するコンピュータ読み出し可能な媒体であって、該命令は、プロセッサ上で実行するために、該媒体上に格納され、コンピューティングデバイスに、項目１６〜項目２１のいずれか１項に記載の方法をインプリメントさせる、コンピュータ読み出し可能な媒体。
【００３８】
（摘要）
無線デバイスがアイドルモードの間に、該無線デバイスのアクセスクラスが禁止されているにも関わらず、ページに応答するシステムおよび方法が、該無線デバイスに提供される。該無線デバイスは、通信制約に関わらず、該ページが応答されるべきかどうかを決定する。該ページが、通信制約に関わらず、応答されるべき場合、該無線デバイスは、該無線デバイスのアクセスクラスが禁止されているのにも関わらず、該ページに応答する。また、該無線デバイスがアイドルモードの間に、該無線デバイスのアクセスクラスが禁止されているのにも関わらず、ネットワークが該無線デバイスからの該ページを受信して、該ページへの応答を処理するシステムおよび方法も、提供される。一部のインプリメンテーションにおいて、該ネットワークは、該ページが通信制約に関わらず、応答されるべきかどうかを決定するのに有用な情報を該無線デバイスに提供する。
【図面の簡単な説明】
【００３９】
【図１】図１は、実施例の無線通信システムの略図である。
【図２】図２は、ページに応答する実施例の方法のフローチャートである。
【図３】図３は、通信制約が課せられたかどうかを決定する実施例の方法のフローチャートである。
【図４】図４は、ページが通信制約に関わらず、応答されるべきかどうかを決定する実施例の方法のフローチャートである。
【図５】図５は、ページが通信制約に関わらず、応答されるべきかどうかを決定する実施例の方法のフローチャートである。
【図６】図６は、ページが通信制約に関わらず、応答されるべきかどうかを決定する実施例の方法のフローチャートである。
【図７】図７は、ページに応答する別の実施例の方法のフローチャートである。
【図８】図８は、警報メッセージの受信時にタイマを開始させる実施例の方法のフローチャートである。
【図９】図９は、ページに対する応答を受信して、処理する実施例の方法のフローチャートである。
【図１０】図１０は、通信制約を課する実施例の方法のフローチャートである。
【図１１】図１１は、通信制約に関わらず、ページが応答されるべきかどうかを示す実施例の方法のフローチャートである。
【図１２】図１２は、通信制約に関わらず、ページが応答されるべきかどうかを示す実施例の方法のフローチャートである。
【発明を実施するための形態】
【００４０】
実施形態は、添付図面を参照して記載される。
【００４１】
（無線通信システム）
一つの広範な局面において、本出願は、無線デバイスにおける方法を提供する。該無線デバイスは、無線ネットワーク内で動作し、該方法は、該無線ネットワークから通信を受信するステップと、該通信に応答することを制約するために、通信制約が、該ネットワークによって課されているかどうかを決定するステップと、該通信制約がある場合、ａ）該通信が、該通信制約に関わらず、応答されるべきかどうかを決定するステップと、ｂ）応答されるべきと決定された場合、該通信制約に関わらず、該通信に応答するステップとを包含する。
【００４２】
別の広範な局面において、本出願は、無線デバイスを提供する。該無線デバイスは、無線ネットワークと通信するように適合された無線通信ラジオと；通信応答機能であって、通信制約が、通信に応答することを制約するために、該ネットワークによって課されているかどうかを決定することと、該通信制約がある場合、ａ）該通信が、該通信制約に関わらず、応答されるべきかどうかを決定することと、応答されるべきと決定された場合、該通信制約に関わらず、ｂ）該通信に応答することとに適合された、通信応答機能とを備える。
【００４３】
別の広範な局面において、本出願は、方法を提供する。該方法は、無線デバイスが通信に応答することを制約するために、通信制約を課すステップと、該無線デバイスに有用な情報を送信して、通信が、該通信制約に関わらず、応答されるべきかどうかを決定するステップと、該通信を送信するステップとを包含する。
【００４４】
一部の実施形態において、メッセージは、システム情報メッセージである。
【００４５】
一部の実施形態において、通信は、重要性の指標を備え、上記通信が、通信制約に関わらず、応答されるべきかどうかの決定は、該重要性の指標と、該通信が、該重要な通信を送信後に、所定の期間以内に受信されるかどうかとに基づく。
【００４６】
一部の実施形態において、上記方法は、上記重要な通信を送信後に、タイマを開始するステップであって、該タイマは、所定の期間後に満了する、ステップをさらに包含し、上記通信が該所定の期間内に受信されるかどうかを決定するステップは、該通信が受信されたときに、該タイマが依然として稼動しているかどうかを決定するステップを包含する。
【００４７】
ここに図１を参照すると、実施例の無線通信システムの略図が示される。無線通信システムは、無線接続１４を介する無線デバイス１０、結合２０を介する緊急コールセンタ１９および他の無線接続１８を介する他の無線デバイス１７と連結されるネットワーク１５を有する。無線デバイス１０は、無線アクセスラジオおよびページ応答機能１２と連結されるプロセッサ１３を有する。無線デバイス１０は、他のコンポーネントを有し得るが、それらは、簡略化のために示されない。他の無線デバイス１７は、無線デバイス１０のために示されたものに類似するコンポーネントを有し得る。ネットワーク１５は、ページング機能１６を有し、他のコンポーネントもまた有し得るが、それらは、簡略化のために示されない。無線通信システムは、他のコンポーネントを有し得るが、それらは、簡略化のために示されない。
【００４８】
図および説明は、ページング機能１６を用いたページの送信およびページ応答機能１６を用いてそれに応答することに言及するが、より一般的には、一部の実施形態は、ネットワークからの通信の送信および通信制約中におけるそれに対する応答に応用可能である。このような実施形態においては、通信機能および通信応答機能は、各々、ページング機能１６およびページング応答機能１２に取って替わる。
【００４９】
動作においては、無線デバイス１０は、該無線アクセスラジオ１１を使用して無線接続１４上でネットワーク１５と通信するように適合される。通信は、例えば、他の無線デバイス１７または緊急コールセンタ１９のうちの１つとであり得る。通信が別の者、例えば、緊急コールセンタによって開始される場合には、次いで、ネットワークは、ページを通信を開始するために無線デバイス１０に送信する。ページに対する応答は、無線デバイス１０と他の者との間の通信が始まることを可能にする。
【００５０】
一部の例においては、ネットワーク１５は、無線デバイス１０がネットワークにアクセスすることを制約する通信制約を課し、これは、無線デバイス１０がページに応答することを制約することを含む。制約は、例えば、ネットワーク上の通信負荷を減少し、または均衡するために、ネットワークによって課せられ得る。該制約は、例えば、アクセスクラスの禁止であり得る。ネットワークがネットワーク上の通信負荷を制御するためにアクセスクラス禁止を課すが、モバイルの終了された通話に対するページが高度の重要性を有する場合、例えば、緊急コールセンタからのコールバックなどの場合には、問題であり得る。それゆえに、無線デバイスが、該アクセスクラスが禁止されているにも関わらず、重要な通話に応答し得るように、ネットワークとの通信を確立する必要がある。
【００５１】
本出願の局面に従って、ページ応答機能１２は、該ページが高度の重要性を有すると判断された場合に通信制約にも関わらず該ページに応答するように、無線デバイス１０のための機能を実装する。それゆえに、重要な通信は、通信制約中に、重要ではない通信が制約されたままである一方で可能とされる。さらなる実施例の詳細は、図２から図８を参照して提供される。本出願の別の局面に従って、ページング機能１６は、通信制約にも関わらず、ネットワーク１５が無線デバイス１０からの該ページに対する応答を受信し、処理するための機能を実装する。さらなる詳細は、図９から図１２に対する参照で提供される。
【００５２】
通信が、重要または高度に重要であるということは、必ずしも該通信が実際に重要な通信であることを意味しないと理解されるべきである。代わりに、それは、１つ以上の基準に従って重要であると判断された通信をいう。該１つ以上の基準は、重要な通信を他の通信から正確に識別するように設計されるが、重要でない通信が誤って重要であると判断されることもあり得る。該１つ以上の基準に対する多くの可能性がある。実施例は、以下に提供される。
【００５３】
一部の実施形態においては、ページ応答機能１２は、ソフトウェアで実現され、プロセッサ１３上で実行される。しかしながら、より一般的には、ページ応答機能１２は、ソフトウェア、ハードウェア、ファームウェアまたはそれらの任意の適切な組み合わせとして実装され得る。ページ応答機能１２は、無線デバイス１０の一部分として示されるが、より一般的には、無線通信システムの１つ以上の無線デバイス上に実装され得る。一部の実施形態においては、無線通信システムの無線デバイスのすべては、このようなページ応答機能を有する。
【００５４】
一部の実施形態においては、ページング機能１６は、ソフトウェアで実現され、プロセッサ上で実行される（図示されず）。しかしながら、より一般的には、ページング機能１６は、ソフトウェア、ハードウェア、ファームウェアまたはそれらの任意の適切な組み合わせとして実装され得る。単一のコンポーネントとして示されるが、より一般的には、ページング機能１６は、１つ以上のコンポーネントを有し得る。１つ以上のコンポーネントは、ネットワーク１５全体に分配され、または単一のネットワークエレメント上に位置し得る。１つ以上のコンポーネントは、ネットワーク１５の他のコンポーネントと統合され得る。
【００５５】
一部の実施形態においては、ネットワーク１５は、ＵＭＴＳ（世界的規模の移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ））ネットワークである。しかしながら、より一般的には、ネットワーク１５は、ＵＭＴＳネットワーク、ＧＳＭネットワークまたはＣＤＭＡネットワークなどの任意の適切なネットワークであり得る。
【００５６】
（ページに応答する方法）
ここに図２を参照すると、ページに応答する実施例の方法のフローチャートが示される。この方法は、例えば、図１に示される無線デバイス２０のページ応答機能１２によって無線デバイスにおいて実現され得る。ステップ２−１においては、無線デバイスは、無線ネットワークからページを受信する。ステップ２−２においては、無線デバイスは、ページに対して応答することを制約するために、通信制約がネットワークによって課せられたかどうかを判断する。ステップ２−３においては、通信制約がある場合に、無線デバイスは、該ページが高度に重要であるかどうか、および該ページが高度の重要性を有すると判断された場合に、通信制約にも関わらず該ページに応答するかどうかを判断する。
【００５７】
無線デバイスがページに対する応答を送信し得る方法は多数ある。一部の実施形態においては、無線デバイスは、ネットワークとの接続を確立し、接続上で該ページに対する応答を送信する。特定の実施形態においては、接続は、ＲＲＣ（Ｒａｄｉｏ  Ｒｅｓｏｕｒｃｅ  Ｃｏｎｔｒｏｌ）接続であり、ＲＲＣ接続を確立することは、ＲＲＣ  ＣＯＮＮＥＣＴＩＯＮ  ＲＥＱＵＥＳＴメッセージを送信することを含む。他の実施形態も可能である。
【００５８】
無線デバイスが、通信制約がページに応答することを制約するようにネットワークによって課せられたかどうかを判断し得る方法は多数ある。ここに図３を参照すると、通信制約が課せられたかどうかを判断する実施例の方法のフローチャートが示される。この方法は、例えば、図１に示される無線デバイス１０のページ応答機能１２によって無線デバイスにおいて実現され得る。ステップ３−１においては、無線デバイスは、禁止された任意のアクセスクラスの指標を有するシステム情報メッセージを受信する。このようなメッセージは、所定の周波数を介してネットワークによって継続ベースで放送される。ステップ３−２においては、無線デバイスは、システム情報メッセージが無線デバイスが属するアクセスクラスが禁止されたことを示すかどうかを判断する。無線デバイスが禁止されたアクセスクラスに属し、無線デバイスがアイドルモードにある場合には、次いで、無線デバイスは、通信を送受信することを制約される。
【００５９】
一部の実施形態においては、無線デバイスのアクセスクラスが禁止されるとしても、無線デバイスは、無線デバイスが属するアクセスクラス以外の別のアクセスクラスを使用して通信を送信し得る。例えば、一部の実施形態においては、無線デバイスは、緊急のアクセスクラスを使用して緊急コールセンタに通信を送信する。一般的には、緊急のアクセスクラスは、可能な限り緊急コールを可能にするように、禁止されない。それゆえに、無線デバイスが禁止されたアクセスクラスに属し、無線デバイスがアイドルモードにある場合には、無線デバイスは、なお、緊急のアクセスクラスを使用して緊急コールをし得る。
【００６０】
幾つかの例においては、無線デバイスのユーザは、緊急コールセンタに通話するが、何らかの理由で、該ユーザは、自分の通信を完了できなくなることがあり得る。例えば、無線デバイスと無線ネットワークとの間の無線接続は、不十分で、それらの会話中に動作可能ではなくなるかもしれない。それゆえに、該通話は、時期尚早に終了する。このようなシナリオにおいては、緊急コールセンタにおけるオペレータは、無線デバイスのユーザにコールバックしようと試みるかもしれない。別の実施例としては、ユーザは、オペレータと直接的に話し得ず、代わりに、ボイスメッセージを残す。このようなシナリオにおいては、オペレータは、無線デバイスのユーザにコールバックしようと試みるかもしれない。
【００６１】
緊急コールセンタからのコールバックは、該コールを設定するために無線デバイスにページを送信するネットワークを含むモバイルの終了された通話である。しかしながら、一部の実施形態においては、ページは、無線デバイスが属し、緊急のアクセスクラスではないアクセスクラスを使用して送信される。一部の実施形態においては、緊急コールセンタからのコールバックは、ページングメッセージに示されない。したがって、無線デバイスは、該ページに応答することにおいて制約される。無線デバイスは、無線デバイスが属するアクセスクラスが、緊急コールセンタへの最初の通話の前または後に禁止されるかどうかに関わらず制約される。これは、無線デバイスが、本明細書中で記載された方法を使用して応答することを可能となり得る重要な通信の実施例である。
【００６２】
無線デバイスがページが通信制約にも関わらず応答されるべきかどうかを判断し得る方法は多数ある。ここに図４〜図６を参照すると、ページが通信制約にも関わらず応答されるべきかどうかを判断する実施例の方法のフローチャートが示される。これらの方法のうちの任意の１つ以上の方法は、例えば、図１で示される無線デバイス１０のページ応答機能１２によって無線デバイスにおいて実現され得る。
【００６３】
最初に図４を参照すると、ステップ４−１においては、無線デバイスは、ページが通信制約にも関わらず応答されるべきかどうかを無線デバイスが判断するのに有用な情報を有する、無線ネットワークからのページを受信する。ステップ４−２においては、無線デバイスは、ページが該情報に基づいて通信制約にも関わらず応答されるべきかどうかを判断する。
【００６４】
無線デバイスがページが通信制約にも関わらず応答するべきかどうかを判断するのに有用である情報に対する可能性は多数ある。一部の実施形態においては、該情報は、ページが通信制約にも関わらず応答されるべきかどうかの重要性の指標を含む。したがって、無線デバイスは、ページが、該重要性の指標に基づいて通信制約にも関わらず応答されるべきかどうかを判断し得る。他の実施形態においては、該情報は、先の重要な通信の後どれくらいの間その後の通信が重要であると考えるべきかを示すタイマ情報を含む。該タイミング情報は、ページが先の情報と関係することを推論するために無線デバイスによって使用され得る。この手法の特定の実施例は、以下に記載される。
【００６５】
無線デバイスがページが通信制約にも関わらず応答されるべきかどうかを判断するのに有用である情報を該ページが提供され得る多くの方法がある。特定に実施例においては、重要性の指標は、該ページ内の単一のビットによって示される。したがって、無線デバイスは、ページが通信制約にも関わらず応答されるべきかどうかを判断するために該単一のビットを解読する。他の実施形態も可能である。
【００６６】
ここに図５を参照すると、無線デバイスは、ページが通信制約にも関わらず応答されるべきかどうかを判断する別の実施例の方法のフローチャートが示される。ステップ５−１においては、無線デバイスは、ページが通信制約にも関わらず応答されるべきかどうかを無線デバイスが判断するのに有用である、情報を有する無線ネットワークからのメッセージを受信する。該情報を有するメッセージは、別個であり、ページから区別される。ステップ５−２においては、無線デバイスは、該情報に基づいてページが通信制約にも関わらず応答されるべきかどうかを判断する。
【００６７】
該メッセージに対する可能性は多数ある。一部の実施形態においては、該メッセージは、すべての無線デバイスに共通の情報を伝達するシステム情報メッセージである。他の実施形態も可能である。
【００６８】
該メッセージが、無線デバイスがページが通信制約にも関わらず応答されるべきかどうかを判断するのに有用な情報を用いて提供され得る方法は多数ある。特定の実施例においては、タイミング情報は、該メッセージ内の複数のビットによって示される。該情報は、例えば、システム情報メッセージにおいて無線ネットワークによって伝達され得る。したがって、無線デバイスは、該タイミング情報を判断するために複数のビットを解読する。他の実施形態も可能である。
【００６９】
ここに図６を参照すると、ページが通信制約にも関わらず応答されるべきかどうかを判断するなお別の実施例の方法のフローチャートが示される。ステップ６−１においては、無線デバイスは、ページを受信する前にネットワークに重要な情報を送信する。ステップ６−２においては、無線デバイスは、ページが重要な情報を送信した後に既定の時間内に受信されたかどうかに基づいて、通信制約にも関わらず該ページが応答されるべきかどうかを判断する。
【００７０】
重要な通信に対する可能性は多数ある。重要な情報は、例えば、緊急コールセンタとの通信であり得る。他の可能性は存在する。一部の実施形態においては、無線デバイスは、９１１などの緊急番号の記録を維持し、該通信が重要であるかどうかを判断するために維持された記録に対して通話された番号を比較する。
【００７１】
既定の時間に対する可能性は多数ある。一部の実施形態においては、既定の時間は、無線デバイスがページが重要な通信に応答していると合理的に推論し得るように、適切なものとして設計される。一部の実施形態においては、既定の時間は動的である。他の実施形態においては、既定の時間は静的である。特定の実施形態においては、ネットワークによる既定の時間が利用可能でない場合に、既定の時間は、モバイルデバイス上で、例えば、６０秒に事前に既定され得る。他の実施形態も可能である。
【００７２】
重要な通信を送信した後の既定の時間内にページが受信されたかどうかを判断する方法は多数ある。一部の実施形態においては、タイマは、該タイマが既定の時間に基づいて時間切れになるように、重要な通信を完了した後に開始される。該タイマが起動している場合には、すなわち、過ぎた既定の時間内に重要な通信がなされた。該タイマが起動していない場合には、すなわち、過ぎた既定の時間内に重要な通信がなされなかった。この方式でのタイマの使用は、例示目的のためだけの非常に特定された実施形態であることは理解されるべきである。タイマを有しようと有さずとも他の実施形態も可能である。無線デバイスがネットワークからタイミング情報を受信する実施例は既に提供された。
【００７３】
ここに図７を参照すると、ページに応答する別の実施例の方法のフローチャートが示される。この方法は、例えば、図１に示される無線デバイス１０のページ応答機能１２によって無線デバイスで実現され得る。該実施例の方法は、実施例を示す目的に限っているため、非常に特定されていることが理解されるべきである。
【００７４】
ステップ７−１においては、無線デバイスはページを受信し、次いで、ステップ７−２からステップ７−４を経由して、無線デバイスは、ステップ７−５において該ページを放棄するか、またはステップ７−６において該ページに応答するかどうかを判断する。ステップ７−２において無線デバイスのアクセスクラスが禁止されない場合には、次いで、ステップ７−６において無線デバイスは、該ページに応答する。そうでなければ、ステップ７−３において無線デバイスは、該ページに重要性の指標があるかどうかを判断する。該ページが重要であることを示す重要性の指標がある場合には、次いで、ステップ７−６において無線デバイスは、該ページに応答する。そうでなければ、ステップ７−４において無線デバイスは、タイマ、Ｔｅｃｂ（緊急コールバックする者のためのタイマ）が起動しているかどうかを判断する。タイマＴｅｃｂは、重要な通信の後に開始され、既定の時間後に時間切れになる。それゆえに、Ｔｅｃｂが今も起動している場合には、すなわち、該ページは、重要な通信の後の既定の時間内に受信された。Ｔｅｃｂが起動している場合には、次いで、ステップ７−６において無線デバイスは、ページに応答する。そうでなければ、無線デバイスは、ステップ７−５においてページを放棄する。これは、モバイルデバイスが緊急状態において外部の通話者である緊急コールセンタに応答することを可能にする。
【００７５】
タイマＴｅｃｂが開始され得る方法は多数ある。ここに図８を参照すると、警報メッセージの受信時にタイマを開始させる実施例の方法のフローチャートが示される。この方法は、例えば、図１に示される無線デバイス１０のページ応答機能１２によって無線デバイスにおいて実現され得る。該実施例の方法は、実施例の目的だけの非常に特定するものであることが理解されるべきである。
【００７６】
ステップ８−１においては、無線デバイスは、起動している場合には、タイマＴｅｃｂを停止する。Ｔｅｃｂは、直近の緊急コールがなされた後に開始される。該タイマは、ユーザが短時間に２つの緊急コール番号を通話する場合であって現在の緊急コールを処理する場合には、すでに起動している。ステップ８−２においては、無線デバイスは、例えば、緊急コールセンタに緊急コールを通話する。上述のように、該緊急コールは時期尚早に終了する状態にあり得る。ステップ８−３においては、受信側（例えば、緊急コールセンタ）がコール設定要求を受信し、通話者を呼び出ししていることを示す警報メッセージが受信され得る。より一般的には、ネットワークが緊急コール／試みに気付いたことを、デバイスが判断するように可能化するネットワークからの任意の形式の確認通知が考えられ、例えば、確立原因＝「緊急コール」を伴うＲＲＣ接続要求に応答するＲＲＣ接続設定として考えられる。ステップ８−４において無線デバイスが警報メッセージを受信する場合には、次いで、タイマＴｅｃｂは、開始されることとなる。タイマＴｅｃｂは、値がシステム情報メッセージに容認されるかどうかに依存する初期値をもって開始される。ステップ８−４において無線デバイスがタイマＴｅｃｂに対する値を容認する場合には、次いで、ステップ８−５においては、タイマＴｅｃｂは、該システム情報メッセージで特定された値をもって開始される。この方式では、ネットワークは、ページに応答することを制約する通信制約があるかどうかに関わらず、無線デバイスが受信されたページが応答され得るタイムウィンドウを決定するためのタイミング情報を提供した。しかしながら、タイマＴｅｃｂに対する値がシステム情報メッセージで容認されない場合には、次いで、ステップ８−６においては、無線デバイスは、デフォルト値を用いてタイマＴｅｃｂを開始する。デフォルト値は、例えば、６０秒であり得る。この方式で、無線デバイスは、ネットワークがページに応答することを制約する通信制約があるかどうかに関わらず、受信されたページが応答され得るデフォルトのタイムウィンドウを判断する。
【００７７】
（ページングの方法）
ここに図９を参照すると、通信制約に関わらず無線デバイスがページに応答することを可能にすることにネットワークが参加する実施例の方法のフローチャートが示される。この方法は、例えば、図１に示されるネットワーク１５のページング機能１６によってネットワークにおいて実現され得る。ステップ９−１においては、ネットワークは、無線デバイスがページに応答することを制約するために通信制約を課す。代替的に、通信制約は、ページが送信される前に、または該ページが送信されると同時に課せられ得る。ステップ９−２においては、ネットワークは、無線デバイスが通信制約にも関わらずページが応答されるべきかどうかを判断するのに有用である情報を有するページを無線デバイスに送信する。ネットワークが通信制約のために無線デバイスがページに応答することを制約するための通信制約を課し得る方法は多数ある。ここに図１０を参照すると、通信制約を課する実施例の方法のフローチャートが示される。この方法は、例えば、図１に示されるネットワーク１５のページング機能１６によってネットワークで実現され得る。ステップ１０−１においては、無線デバイスがアイドルモードである間、ネットワークは、無線デバイスが属するアクセスクラスを制約する無線デバイスは、無線デバイスが属するアクセスクラスが初めに禁止される時にアイドルモードであってもよいし、アイドルモードでなくてもよい。しかしながら、該アクセスモードが禁止されている間に、無線デバイスがアイドルモードであると、ネットワークとの接続を確立するための無線デバイスの能力は制約される。それゆえに、無線デバイスは、ページに応答することを制約される。
【００７８】
ページに応答するための無線デバイスの能力を制約することは、ネットワーク上の通信負荷を減少する。しかしながら、ページが通信制約にも関わらず応答されるべき場合には、次いで、無線デバイスは、ページに応答し得る。一部の実施形態においては、ネットワークは、無線デバイスが、ページが通信制約にも関わらず応答されるべきかどうかを判断するのに有用である、無線デバイスに対する情報を送信する。他の実施形態においては、ネットワークは、そのような情報を無線デバイスに送信しない。したがって、無線デバイスは、ネットワークからの情報なしに通信制約にも関わらずページが応答されるべきかどうかを判断する。一部の実施形態においては、ネットワークは、他の状況においては情報を送信しないが、特定の状況ではそのような情報を送信する。そのような状況は、例えば、ネットワークが利用可能なそのような情報を有するかどうかであり得る。
【００７９】
ネットワークが、無線デバイスは、通信制約にも関わらずページが応答されるべきかどうかを判断するのに有用である情報を無線デバイスに提供し得る多くの方法がある。ここに図１１を参照すると、無線デバイスは、通信制約にも関わらずページが応答されるべきかどうかを判断するのに有用である情報を提供する実施例の方法のフローチャートが示される。この方法は、例えば、図１に示されるネットワーク１５のページング機能１６によってネットワークで実現され得る。
【００８０】
最初に図１１を参照すると、ステップ１１−１においては、ネットワークは、無線デバイスがページに応答することを制約するように通信制約を課す。代替的に、通信制約は、ページが送信される前に、またはページが送信されるのと同時に課せられ得る。ステップ１１−２においては、ネットワークは、無線デバイスが通信制約にも関わらずその後のページが応答されるべきかどうかを判断するのに有用な情報を有するメッセージを無線デバイスに送信する。該メッセージは、例えば、システム情報メッセージであり得る。該メッセージが、無線デバイスが通信制約にも関わらずページが応答されるべきかどうかを判断するのに有用である情報を提供され得る方法は多数ある。実施例は上に提供された、それゆえに、繰り返されない。
【００８１】
無線デバイスが通信制約にも関わらずページが応答されるべきかどうかを判断するのに有用な情報に対する可能性は多数ある。一部の実施形態においては、ネットワークが、ページが通信制約にも関わらず応答されるべきかどうかを判断する場合には、該情報は、ページが通信制約にも関わらず応答されるべきことを示す重要性の指標を含む。他の実施形態においては、該情報は、無線デバイスからの通信が可能とされるべき、先のインポート通信に続く期間を示すタイミング情報を含む。それゆえに、無線デバイスが重要な通信を最近送信した場合には、タイミング情報は、これを示し、無線デバイスは、該ページがその重要な通信と関係することを推論し得る。他の実施形態も可能である。
【００８２】
ネットワークが、通信制約にも関わらずページが応答されるべきかどうかを判断し得る方法は多数ある。一部の実施形態においては、ページが緊急コールセンタからのコールバックを確立する場合には、次いで、ネットワークは、ページが通信制約にも関わらず応答されるべきことを判断する。しかしながら、ページが幾つかの他の通常のモバイルの終了された通話を確立する場合には、ネットワークは、該ページが高度の重要性を有しないと判断する。他の実施形態も可能である。
【００８３】
ここに図１２を参照すると、ページが通信制約にも関わらず応答されるべきかどうかを示す実施例の方法のフローチャートが示される。この方法は、例えば、図１に示されるネットワーク１５のページング機能１６によってネットワークにおいて実現され得る。実施例の方法は、実施例を示す目的に限られているため、非常に特定されていることが理解されるべきである。
【００８４】
ステップ１２−１においてネットワークは、モバイルの終了された通話を受信した場合において、次いで、ステップ１２−２においては、ネットワークは、モバイルの終了された通話が緊急コールセンタからのコールであるかどうかを判断する。ネットワークが該モバイルの終了された通話が緊急コールセンタからのコールであると判断する場合には、次いで、ステップ１２−３においては、該ネットワークは、ステップ１２−４においてモバイルの終了された通話に関してページングを開始する前に、重要性の指標を使用してページングメッセージにおける通信制約に関わらずページが応答されるべきことを示す。該重要性の指標は、無線デバイスがページが通信制約にも関わらず応答されるべきかどうかを判断することを可能にする。しかしながら、ネットワークがモバイルの終了された通話が緊急コールセンタからのコールであると判断しない場合には、次いで、ステップ１２−４においては、ネットワークは、重要性の指標なしに無線デバイスにページングすることを開始する。
【００８５】
本出願の多数の変更例および変形例は、上述の教示に照らして可能である。それゆえに、添付された特許請求の範囲内で、本出願は本明細書中に具体的に記載される以外の他の方法でも実施され得ると理解されるべきである。
【符号の説明】
【００８６】
１０  無線デバイス
１１  無線アクセスラジオ
１２  ページング応答機能
１３  プロセッサ
１４  無線接続
１５  ネットワーク
１６  ページング機能
１７  他の無線デバイス
１８  他の無線接続
１９  緊急コールセンタ
２０  結合
【図１】
2011176841.tif 000003
【図２】
2011176841.tif 000004
【図３】
2011176841.tif 000005
【図４】
2011176841.tif 000006
【図５】
2011176841.tif 000007
【図６】
2011176841.tif 000008
【図７】
2011176841.tif 000009
【図８】
2011176841.tif 000010
【図９】
2011176841.tif 000011
【図１０】
2011176841.tif 000012
【図１１】
2011176841.tif 000013
【図１２】
2011176841.tif 000014
【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
無線ネットワーク内で動作する無線デバイスにおいて実行される方法であって、
前記方法は、
前記無線ネットワークとのＲＲＣ（Ｒａｄｉｏ  Ｒｅｓｏｕｒｃｅ  Ｃｏｎｔｒｏｌ）接続を介してモバイル開始通話を送信することであって、前記モバイル開始通話は、１つ以上の基準によって重要であると決定されており、かつ、前記無線デバイスが属しているアクセスクラスが禁止されていないときに開始される、ことと、
前記モバイル開始通話を送信した後に、ＲＲＣアイドルモードに入り、通信制約を課すシステム情報メッセージを受信することであって、前記システム情報メッセージは、前記無線デバイスが属しているアクセスクラスが禁止されていることを示す、ことと、
モバイル終了通話のために前記無線ネットワークからページを受信することと、
前記モバイル開始通話を送信した後の所定の期間内に前記ページが受信された場合に、前記通信制約に関わらず前記ページに応答することと
を含む、方法。
【請求項２】
前記モバイル開始通話が緊急コールセンタへの通信を含むことと、
前記モバイル終了通話が前記緊急コールセンタからのコールバックであることと
のうちの少なくとも１つである、請求項１に記載の方法。
【請求項３】
前記通信制約に関わらず通信に応答することは、
前記ネットワークへの接続を確立することと、
前記接続を介して、前記ページに対する応答を送信することと
を含む、請求項１または請求項２に記載の方法。
【請求項４】
前記接続は、第２のＲＲＣ接続であり、
前記第２のＲＲＣ接続を確立することは、ＲＲＣ  ＣＯＮＮＥＣＴＩＯＮ  ＲＥＱＵＥＳＴメッセージを送信することを含む、請求項３に記載の方法。
【請求項５】
前記無線ネットワークから第２のメッセージを受信することをさらに含み、
前記第２のメッセージは、前記通信制約に関わらず前記ページに応答すべきかどうかを前記無線デバイスが決定するための情報を含み、
前記通信制約に関わらず前記ページに応答することは、前記情報にさらに基づく、請求項１〜請求項４のいずれか１項に記載の方法。
【請求項６】
前記情報は、前記モバイル開始通話の後どれくらいの間その後の通信が重要であると考えるべきかを示すタイマ情報を含み、
前記通信制約に関わらず前記ページに応答することは、前記タイマ情報に基づく、請求項５に記載の方法。
【請求項７】
前記モバイル開始通話を送信した後にタイマを開始することをさらに含み、
前記タイマは、前記所定の期間後に満了し、
前記通信制約に関わらず前記ページに応答することは、前記ページが受信されたときに前記タイマが依然として稼動している場合に前記ページに応答することを含む、請求項１〜請求項６のいずれか１項に記載の方法。
【請求項８】
前記無線ネットワークから前記所定の期間の指標を受信すること、または、
前記所定の期間が前記無線ネットワークによって示されていない場合に、前記所定の期間に対して所定の一定値を用いること
をさらに含む、請求項１〜請求項７のいずれか１項に記載の方法。
【請求項９】
請求項１〜請求項８のいずれか１項に記載の方法をインプリメントするようにプロセッサ上で実行するためのコンピュータで実行可能な命令が格納された非一時的なコンピュータ読み取り可能な媒体。
【請求項１０】
無線ネットワークと通信するように構成された無線アクセスラジオと、通信応答機能とを備える無線デバイスであって、
前記通信応答機能は、
前記無線ネットワークとのＲＲＣ（Ｒａｄｉｏ  Ｒｅｓｏｕｒｃｅ  Ｃｏｎｔｒｏｌ）接続を介してモバイル開始通話を送信することであって、前記モバイル開始通話は、１つ以上の基準によって重要であると決定されており、かつ、前記無線デバイスが属しているアクセスクラスが禁止されていないときに開始される、ことと、
前記モバイル開始通話を送信した後に、ＲＲＣアイドルモードに入り、通信制約を課すシステム情報メッセージを受信することであって、前記システム情報メッセージは、前記無線デバイスが属しているアクセスクラスが禁止されていることを示す、ことと、
モバイル終了通話のために前記無線ネットワークからページを受信することと、
前記モバイル開始通話を送信した後の所定の期間内に前記ページが受信された場合に、前記通信制約に関わらず前記ページに応答することと
を実行するように構成されている、無線デバイス。
【請求項１１】
無線ネットワークにおいて実行される方法であって、
前記方法は、
無線デバイスからモバイル開始通話を受信することと、
１つ以上の基準に基づいて前記モバイル開始通話が重要であるかどうかを決定することと、
前記モバイル開始通話が１つ以上の基準によって重要であると決定された場合に、ＲＲＣ（Ｒａｄｉｏ  Ｒｅｓｏｕｒｃｅ  Ｃｏｎｔｒｏｌ）アイドルモードにある間に、ページへの応答を制約するアクセスクラス禁止に関わらずにページに応答するかどうかを前記無線デバイスが決定するための情報を含むメッセージを伝送することであって、前記メッセージは、前記ページから区別され、かつ、別個である、ことと、
前記ページを送信することと
を包含する、方法。
【請求項１２】
前記情報は、重要性の指標を含む、請求項１１に記載の方法。
【請求項１３】
前記情報は、前記モバイル開始通話の後、どのくらいの時間、前記無線デバイスが前記ページに応答することを許可されるかを示すタイミング情報を含む、請求項１１または請求項１２に記載の方法。
【請求項１４】
前記無線デバイスが属しているアクセスクラスを禁止することによって、前記無線デバイスが通信に応答することを制約するようにアクセスクラス禁止を課すことをさらに含む、請求項１１〜請求項１３のいずれか１項に記載の方法。
【請求項１５】
請求項１１〜請求項１４のいずれか１項に記載の方法をインプリメントするようにプロセッサ上で実行するためのコンピュータで実行可能な命令が格納された非一時的なコンピュータ読み取り可能な媒体。
【請求項１６】
請求項１１〜請求項１４のいずれか１項に記載の方法をインプリメントするように構成された１つ以上のネットワークコンポーネント。
【請求項１７】
無線ネットワーク内で動作する無線デバイスにおいて実行される方法であって、
前記方法は、
前記無線ネットワークに第１の通信を送信することであって、前記第１の通信は、１つ以上の基準によって重要であると決定されている、ことと、
第２の通信への応答を制約するアクセスクラス禁止に関わらずに第２の通信に応答するかどうかを決定するための情報を受信することであって、前記情報は、前記第１の通信の送信の後、前記無線デバイスが前記第２の通信に応答することを許可される所定の期間を示すタイミング情報を含む、ことと、
前記無線ネットワークから前記第２の通信を受信することと、
前記第１の通信を送信した後の所定の期間内に前記第２の通信が受信された場合に、前記第２の通信に対する応答を制約するアクセスクラス禁止に関わらず、前記第２の通信に応答することと
を含む、方法。
【請求項１８】
請求項１７に記載の方法をインプリメントするようにプロセッサ上で実行するためのコンピュータで実行可能な命令が格納された非一時的なコンピュータ読み取り可能な媒体。
【請求項１９】
無線ネットワークと通信するように構成された無線アクセスラジオと、通信応答機能とを備える無線デバイスであって、
前記通信応答機能は、
前記無線ネットワークに第１の通信を送信することであって、前記第１の通信は、１つ以上の基準によって重要であると決定されている、ことと、
第２の通信への応答を制約するアクセスクラス禁止に関わらずに第２の通信に応答するかどうかを決定するための情報を受信することであって、前記情報は、前記第１の通信の送信の後、前記無線デバイスが前記第２の通信に応答することを許可される所定の期間を示すタイミング情報を含む、ことと、
前記無線ネットワークから前記第２の通信を受信することと、
前記第１の通信を送信した後の所定の期間内に前記第２の通信が受信された場合に、前記第２の通信に対する応答を制約するアクセスクラス禁止に関わらず、前記第２の通信に応答することと
を実行するように構成されている、無線デバイス。